(57)【要約】【課題】同軸コネクタの更なる低背化を図る。【解決手段】グランドコンタクト導体２００は、軸Ａｘに沿って延びる筒状の本体部２０２と、本体部２０２のうち軸Ａｘ方向における配線基板寄りに一体的に設けられ、本体部２０２に対して屈曲され、先端側が配線基板に接続された外部端子部２０４Ａ，２０４Ｄと、本体部２０２の下端縁２０２ｂに設けられた係止部２０６Ａとを有する。外部端子部２０４Ａ，２０４Ｄは、主面Ｓ３，Ｓ４を含んでいる。主面Ｓ３は、配線基板側を向いている。主面Ｓ４は、主面Ｓ３に対して配線基板とは反対側を向いている。係止部２０６Ａの先端の軸Ａｘ方向における位置は、主面Ｓ４と同一であるか、又は主面Ｓ４よりも主面Ｓ３側である。【選択図】図１２
2017174625.tif 000002
【特許請求の範囲】
【請求項１】
信号コンタクト導体と、グランドコンタクト導体と、前記信号コンタクト導体及び前記グランドコンタクト導体の間を絶縁する絶縁ハウジングとを備えており、相手方のコネクタと嵌合可能に構成されると共に、配線基板に実装される同軸コネクタであって、
前記絶縁ハウジングは、前記信号コンタクト導体を内部に収容する収容孔と、被係止部とが設けられたベース部を有し、
前記グランドコンタクト導体は、
所定の軸に沿って延びる筒状の本体部と、
前記本体部のうち前記軸方向における前記配線基板寄りの端縁に一体的に設けられ、前記本体部に対して屈曲され、先端側が前記配線基板に接続された少なくとも一つの外部端子部と、
前記本体部のうち前記軸方向における前記配線基板寄りの端縁に一体的に設けられ、前記被係止部と係止可能に構成された少なくとも一つの係止部とを有し、
前記外部端子部は、一対の第１及び第２の主面を含んでおり、
前記第１の主面は、前記配線基板側を向いており、
前記第２の主面は、前記配線基板とは反対側を向いており、
前記係止部の先端の前記軸方向における位置は、前記第２の主面と同一であるか、又は前記第２の主面よりも前記第１の主面側である、同軸コネクタ。
【請求項２】
前記グランドコンタクト導体は、前記本体部のうち前記軸方向における一方の端縁に一体的に設けられた一対の前記係止部を有し、
前記本体部には、前記軸方向に沿って延びるスリットが設けられており、
一対の前記係止部は、前記軸方向から見たときに、前記軸と前記スリットとを結ぶと共に前記配線基板と平行に延びる第１の仮想直線に関して略線対称となる位置に配置されている、請求項１に記載の同軸コネクタ。
【請求項３】
一対の前記係止部は、前記軸方向から見たときに、前記軸及び前記第１の仮想直線の双方に直交する第２の仮想直線上に位置すると共に、前記軸を間において対向している、請求項２に記載の同軸コネクタ。
【請求項４】
前記絶縁ハウジングは、前記軸方向に延びると共に前記ベース部の外側に配置された壁部をさらに有し、
前記本体部は、前記ベース部の外周面の一部を囲むように前記ベース部に取り付けられており、
前記壁部は、
前記スリットと、前記本体部のうち前記スリットの近傍の領域とを外側から覆っており、
前記相手方のコネクタとの嵌合により外側に押し拡げられた前記本体部の前記領域と当接可能に構成されている、請求項３に記載の同軸コネクタ。
【請求項５】
前記グランドコンタクト導体は、前記本体部のうち前記軸方向における一方の端縁に一体的に設けられ、前記軸周りに順に並ぶように配置された第１〜第４の外部端子部を有し、
一対の前記係止部のうちの一方は、前記第１及び第４の外部端子部の間に位置しており、
一対の前記係止部のうちの他方は、前記第２及び第３の外部端子部の間に位置している、請求項２に記載の同軸コネクタ。
【請求項６】
前記係止部は、前記本体部から前記軸に向けて突出する係止片を有し、
前記被係止部は、前記係止片が内側に挿通される凹溝を有する、請求項１に記載の同軸コネクタ。
【発明の詳細な説明】
【技術分野】
【０００１】
本開示は、各種の配線が形成された配線基板（例えば、リジッド基板、フレキシブルプリント基板、リジッドフレキシブル基板等のプリント基板）上に実装される同軸コネクタに関する。
【背景技術】
【０００２】
一般に、携帯電話等の小型端末の内部には、配線基板同士を接続してこれらの間で高周波信号を伝送するために、多数の同軸ケーブルが配線されている。また、小型端末の内部において、配線基板同士を直接接続することも行われている。特許文献１は、配線基板同士を電気的に接続するコネクタの一例として、配線基板に実装されるプラグコネクタを開示している。
【０００３】
特許文献１のプラグコネクタは、絶縁ハウジングと、信号コンタクト導体と、グランドコンタクト導体とを備える。絶縁ハウジングの中心部には、信号コンタクト導体が挿通可能な貫通孔が設けられている。絶縁ハウジングの外周面には、当該外周面の放線方向に突出する一対の係止突起が設けられている。
【０００４】
グランドコンタクト導体は、所定の軸に沿って延びる筒状の本体部と、一対の外部端子部とを有する。一対の外部端子部は、本体部に対して略９０°曲げ加工されてなり、本体部のうち軸方向における一方の端縁に一体的に接続されている。本体部には、一対の係止片が設けられている。一対の係止片は、絶縁ハウジングの対応する係止突起とそれぞれ係合する。一対の係止片は、軸方向において外部端子部の基端部と隣り合うように位置している。すなわち、軸方向において、外部端子部の基端部及び係止片は、異なる高さ位置に並んで位置している。
【０００５】
特許文献１のプラグコネクタを組み立てるにあたり、グランドコンタクト導体の本体部内に絶縁ハウジングを挿通する。このとき、各係止片は、対応する係止突起に当接して変形しながら当該係止突起を乗り越えて、当該係止突起と係止される。これにより、グランドコンタクト導体が絶縁ハウジングに取り付けられる。
【先行技術文献】
【特許文献】
【０００６】
【特許文献１】特開２０１３−１８７０１５号公報
【発明の概要】
【発明が解決しようとする課題】
【０００７】
近年、携帯電話等の小型端末の更なる小型化が進んでいる。そのため、小型端末の内部が狭隘化しており、同軸コネクタも更なる低背化が求められている。具体的には、プラグコネクタとリセプタクルコネクタとの嵌合後の高さが１ｍｍ以下のものも出現してきている。
【０００８】
ところで、プラグコネクタとリセプタクルコネクタとが嵌合するにあたり、両コネクタの嵌合を安定的に維持する観点から、グランドコンタクト導体の本体部のうち軸方向における上端縁（実装時に配線基板とは反対側に位置する端縁であり、嵌合口）と絶縁ハウジングの係止突起との直線距離は、所定の長さ以上であることが好ましい（特許文献１の図８参照）。一方で、特許文献１のプラグコネクタを低背化するためには、できる限り外部端子部寄り（配線基板寄り）にグランドコンタクト導体の係止片及び絶縁ハウジングの係止突起を配置することが望ましい。しかしながら、特許文献１のプラグコネクタにおいては、当該基端部が曲げ加工されており、この近傍に係止片を形成することが困難であった。すなわち、従来は、プラグコネクタとリセプタクルコネクタとの嵌合後の安定化と両コネクタの嵌合後の低背化とが相反する関係にあり、これらの両立を図ることが望まれていた。
【０００９】
そこで、本開示は、更なる低背化を図ることが可能な同軸コネクタを説明する。
【課題を解決するための手段】
【００１０】
［１］本開示の一つの観点に係る同軸コネクタは、信号コンタクト導体と、グランドコンタクト導体と、信号コンタクト導体及びグランドコンタクト導体の間を絶縁する絶縁ハウジングとを備えており、相手方のコネクタと嵌合可能に構成されると共に、配線基板に実装される同軸コネクタである。絶縁ハウジングは、信号コンタクト導体を内部に収容する収容孔と、被係止部とが設けられたベース部を有する。グランドコンタクト導体は、所定の軸に沿って延びる筒状の本体部と、本体部のうち軸方向における配線基板寄りに一体的に設けられ、本体部に対して屈曲され、先端側が配線基板に接続された少なくとも一つの外部端子部と、本体部のうち軸方向における配線基板寄りに一体的に設けられ、被係止部と係止可能に構成された少なくとも一つの係止部とを有する。外部端子部は、一対の第１及び第２の主面を含んでいる。第１の主面は、配線基板側を向いている。第２の主面は、配線基板とは反対側を向いている。係止部の先端の軸方向における位置は、第２の主面と同一であるか、又は第２の主面よりも第１の主面側である。
【００１１】
本開示の一つの観点に係る同軸コネクタでは、グランドコンタクト導体が、本体部のうち軸方向における配線基板寄りに一体的に設けられた少なくとも一つの係止部を有し、係止部の先端の軸方向における位置が、第２の主面と同一であるか、又は第２の主面よりも第１の主面側である。従って、従来と比較して、係止部の高さ位置が外部端子部の高さ位置に近づくので、同軸コネクタの更なる低背化を図ることが可能となる。
【００１２】
［２］上記第１項に記載の同軸コネクタにおいて、グランドコンタクト導体は、本体部のうち軸方向における一方の端縁に一体的に設けられた一対の係止部を有し、本体部には、軸方向に沿って延びるスリットが設けられており、一対の係止部は、軸方向から見たときに、軸とスリットとを結ぶと共に配線基板と平行に延びる第１の仮想直線に関して略線対称となる位置に配置されていてもよい。この場合、一対の係止部によって絶縁ハウジングのベース部をバランスよく保持することが可能となる。
【００１３】
［３］上記第２項に記載の同軸コネクタにおいて、一対の係止部は、軸方向から見たときに、軸及び第１の仮想直線の双方に直交する第２の仮想直線上に位置すると共に、軸を間において対向していてもよい。この場合、一対の係止部によって絶縁ハウジングのベース部をバランスよく保持することが可能となる。また、同軸コネクタに相手方のコネクタが嵌合する際に、本体部のうち係止部が位置する部分が比較的拡大し難いので、係止部からの絶縁ハウジングの脱落を抑制することが可能となる。
【００１４】
［４］上記第２又は３項に記載の同軸コネクタにおいて、絶縁ハウジングは、軸方向に延びると共にベース部の外側に配置された壁部をさらに有し、本体部は、ベース部の外周面の一部を囲むようにベース部に取り付けられており、壁部は、スリットと、本体部のうちスリットの近傍の領域とを外側から覆っており、相手方のコネクタとの嵌合により外側に押し拡げられた本体部の領域と当接可能に構成されていてもよい。この場合、同軸コネクタに相手方のコネクタが嵌合する際に、スリットが大きく開かれようとするが、本体部のうちスリットの近傍の領域が壁部によって押さえられるので、スリットの拡大が抑制される。そのため、本体部から相手方のコネクタに対して付勢力が十分に付与されるので、本体部と相手方のコネクタとの嵌合を維持しやすくなる。
【００１５】
［５］上記第２〜４のいずれか一項に記載の同軸コネクタにおいて、グランドコンタクト導体は、本体部のうち軸方向における一方の端縁に一体的に設けられ、軸周りに順に並ぶように配置された第１〜第４の外部端子部を有し、一対の係止部のうちの一方は、第１及び第４の外部端子部の間に位置しており、一対の係止部のうちの他方は、第２及び第３の外部端子部の間に位置していてもよい。この場合、第１〜第４の外部端子部と一対の係止部とが互いに干渉し難いので、第１〜第４の外部端子部が一対の係止部を避けるような形状とする必要がなく、第１〜第４の外部端子部の大型化が抑制される。そのため、同軸コネクタの小型化を図ることが可能となる。
【００１６】
［６］上記第１〜５のいずれか一項に記載の同軸コネクタにおいて、係止部は、本体部から軸に向けて突出する係止片を有し、被係止部は、係止片が内側に挿通される凹溝を有してもよい。
【発明の効果】
【００１７】
本開示に係る同軸コネクタによれば、更なる低背化を図ることが可能となる。
【図面の簡単な説明】
【００１８】
【図１】図１は、プラグコネクタを前側上方から見た斜視図である。
【図２】図２は、プラグコネクタを後側上方から見た斜視図である。
【図３】図３は、プラグコネクタを前側下方から見た斜視図である。
【図４】図４は、プラグコネクタを示す上面図である。
【図５】図５は、プラグコネクタを示す底面図である。
【図６】図６は、図４のＶＩ−ＶＩ線断面図である。
【図７】図７は、図４のＶＩＩ−ＶＩＩ線断面図である。
【図８】図８は、絶縁ハウジングを前側上方から見た斜視図である。
【図９】図９は、絶縁ハウジングを前側下方から見た斜視図である。
【図１０】図１０は、グランドコンタクト導体を前側上方から見た斜視図である。
【図１１】図１１は、グランドコンタクト導体を後側上方から見た斜視図である。
【図１２】図１２は、グランドコンタクト導体を示す側面図である。
【図１３】図１３は、信号コンタクト導体を前側上方から見た斜視図である。
【図１４】図１４は、信号コンタクト導体を後側上方から見た斜視図である。
【図１５】図１５は、信号コンタクト導体を前側下方から見た斜視図である。
【図１６】図１６は、図１３のＸＶＩ−ＸＶＩ線断面図である。
【図１７】図１７は、プラグコネクタを配線基板に実装する方法を説明するための図である。
【図１８】図１８は、プラグコネクタとリセプタクルコネクタとを接続する方法を説明するための図である。
【図１９】図１９は、グランドコンタクト導体の他の例を後側上方から見た斜視図である。
【図２０】図２０は、信号コンタクト導体の他の例を前側上方から見た斜視図である。
【図２１】図２１は、信号コンタクト導体の他の例を前側下方から見た斜視図である。
【図２２】図２２は、絶縁ハウジングの他の例を前側下方から見た斜視図である。
【発明を実施するための形態】
【００１９】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２０】
［プラグコネクタ］
プラグコネクタ１は、各種の配線が形成された配線基板ＣＢ１（図１７及び図１８参照）上に実装される同軸コネクタである。プラグコネクタ１は、図１〜図７に示されるように、絶縁性の絶縁ハウジング１００と、導電性のグランドコンタクト導体２００と、導電性の信号コンタクト導体３００とを備える。
【００２１】
プラグコネクタ１は、配線基板ＣＢ２（図１８参照）に実装されたリセプタクルコネクタ２（同図参照）と嵌合及び抜去可能に構成されている。配線基板ＣＢ１，ＣＢ２としては、例えば、リジッド基板、フレキシブルプリント基板、リジッドフレキシブル基板等のプリント基板が挙げられる。なお、本明細書では、プラグコネクタ１及びリセプタクルコネクタ２がそれぞれ配線基板ＣＢ１，ＣＢ２に実装される側を「下」とし、その反対側を「上」とする。
【００２２】
［絶縁ハウジング］
絶縁ハウジング１００は、樹脂等の絶縁性材料を、例えば射出成形することによって形成される。絶縁ハウジング１００は、グランドコンタクト導体２００と信号コンタクト導体３００との間を絶縁するように構成されている。絶縁ハウジング１００は、図１〜図９に示されるように、ベース部１０２と、突出部１０４と、壁部１０６とを有する。
【００２３】
ベース部１０２は、上下方向に延びる柱状部材である。ベース部１０２には、図１〜図９に示されるように、収容孔１０８と、一対の係止突起１１０Ａ，１１０Ｂと、嵌合溝１１２（第２の嵌合溝）とが設けられている。収容孔１０８は、信号コンタクト導体３００の接続片３０４（後述する）を内部に収容可能に構成されている。従って、絶縁ハウジング１００は、信号コンタクト導体３００の一部を内部に保持可能である。収容孔１０８は、ベース部１０２を上下方向に延びている。収容孔１０８は、本実施形態において、ベース部１０２を上下方向に貫通する貫通孔である。そのため、本実施形態では、ベース部１０２は所定の軸Ａｘ方向に沿って延びる筒状体である。
【００２４】
係止突起１１０Ａ，１１０Ｂは、ベース部１０２の下端近傍に位置している。係止突起１１０Ａ，１１０Ｂは、ベース部１０２の外表面から外方に向けて突出している。係止突起１１０Ａ，１１０Ｂは、上方から見て、ベース部１０２の軸Ａｘに関して略点対称となる位置に配置されている。従って、係止突起１１０Ａ，１１０Ｂは、軸Ａｘに関して対向している。すなわち、係止突起１１０Ａ，１１０Ｂは、軸Ａｘ方向から見たときに、軸Ａｘに直交すると共に配線基板ＣＢ１と平行に延びる仮想直線ＶＬ１（第２の仮想直線）上に位置すると共に、軸Ａｘを間において対向している。
【００２５】
ベース部１０２の下端近傍には、フランジ１１４が設けられている。フランジ１１４は、軸Ａｘを中心とする円環状を呈し、ベース部１０２から外側に向けて張り出している。フランジ１１４には、図３、図５及び図７〜図９に示されるように、係止突起１１０Ａ，１１０Ｂにそれぞれ対応する位置に一対の切り欠き１１６Ａ，１１６Ｂ（被係止部）が形成されている。一対の切り欠き１１６Ａ，１１６Ｂは、ベース部１０２の外周面から側方に向けて開放されていると共にベース部１０２の底面から下方に向けて開放されている。
【００２６】
フランジ１１４のうち軸Ａｘ方向（上下方向）において切り欠き１１６Ａと隣り合う部分が、係止突起１１０Ａとして機能する。フランジ１１４のうち軸Ａｘ方向（上下方向）において切り欠き１１６Ｂと隣り合う部分が、係止突起１１０Ｂとして機能する。すなわち、係止突起１１０Ａ，１１０Ｂは、フランジ１１４の一部であるともいえる。
【００２７】
嵌合溝１１２は、図３、図６及び図９に示されるように、ベース部１０２に設けられている。嵌合溝１１２は、収容孔１０８と隣り合っている。嵌合溝１１２は、軸Ａｘ方向に沿って延びており、ベース部１０２の下端から上端側に向けて窪んでいる。従って、嵌合溝１１２の開口はベース部１０２の下面側に向けて開放されている。嵌合溝１１２には、信号コンタクト導体３００の屈曲片３０６（後述する）が挿通される。嵌合溝１１２の大きさは屈曲片３０６よりも小さく設定されており、屈曲片３０６が嵌合溝１１２内に圧入されることで、嵌合溝１１２と屈曲片３０６とが嵌合する。
【００２８】
突出部１０４は、ベース部１０２から外側に向けて突出している。具体的には、突出部１０４は、軸Ａｘ及び仮想直線ＶＬ１の双方に直交すると共に配線基板ＣＢ１と平行に延びる仮想直線ＶＬ２（第１の仮想直線）に沿って突出している。仮想直線ＶＬ２は、収容孔１０８の延在方向に直交する方向でもある。従って、換言すれば、突出部１０４は、収容孔１０８の延在方向に直交する方向に沿ってベース部１０２から突出している。突出部１０４の下端部は、ベース部１０２の下端部と一体的に接続されている。なお、本明細書では、ベース部１０２に対して突出部１０４が突出する側を「後」とする。
【００２９】
突出部１０４は、一対の突出片１０４Ａ，１０４Ｂを含む。一対の突出片１０４Ａ，１０４Ｂは、仮想直線ＶＬ２の延在方向において、ベース部１０２からそれぞれ別々に突出している。換言すれば、突出部１０４の突出方向は、仮想直線ＶＬ２の延在方向である。一対の突出片１０４Ａ，１０４Ｂは、仮想直線ＶＬ１の延在方向において対向している。突出片１０４Ａ（第１の突出片）は、仮想直線ＶＬ１の延在方向において外方を向く外側面Ｓ１を有する。突出片１０４Ｂ（第２の突出片）は、仮想直線ＶＬ１の延在方向において外方を向く外側面Ｓ２を有する。
【００３０】
壁部１０６は、ベース部１０２の外側に配置されており、軸Ａｘ方向に延びている。壁部１０６は、軸Ａｘに対して突出部１０４とは反対側において、ベース部１０２から外側に向けて突出している。すなわち、壁部１０６は、仮想直線ＶＬ２に沿って突出している。壁部１０６の下端部は、ベース部１０２の下端部と一体的に接続されている。なお、本明細書では、ベース部１０２に対して壁部１０６が突出する側を「前」とする。
【００３１】
図３、図５、図６及び図９に示されるように、絶縁ハウジング１００の底面には、収容溝１１８が設けられている。収容溝１１８は、仮想直線ＶＬ２の延在方向において、ベース部１０２の収容孔１０８から壁部１０６の前端にかけて延びている。換言すれば、収容溝１１８は、収容孔１０８から、嵌合溝１１２とは反対側に向けて延びている。収容溝１１８は、信号コンタクト導体３００の端子片３０２（後述する）を収容するための空間として機能する。
【００３２】
収容溝１１８の両側壁には、一対の突起１２０が設けられている。一対の突起１２０は、仮想直線ＶＬ１の延在方向において、互いに対向している。一対の突起１２０の離間距離は、信号コンタクト導体３００の端子片３０２の幅よりも若干小さくなるように設定されている。
【００３３】
［グランドコンタクト導体］
グランドコンタクト導体２００は、導電性及び弾性を有する金属板を打ち抜き加工及び曲げ加工することによって形成される。当該金属板の表面には、例えば、ニッケル、銀、金等の金属めっきが施されていてもよい。グランドコンタクト導体２００は、図１〜図７に示されるように、ベース部１０２の外側に位置するように絶縁ハウジング１００に取り付けられている。グランドコンタクト導体２００は、図１〜図７及び図１０〜図１２に示されるように、本体部２０２と、外部端子部２０４Ａ〜２０４Ｄと、係止部２０６Ａ，２０６Ｂを有する。
【００３４】
本体部２０２は、軸Ａｘに沿って延びる筒状体である。本実施形態では、本体部２０２は、ベース部１０２の外周面を部分的に覆うように、ベース部１０２の軸Ａｘと同軸状に配置されている。なお、本体部２０２に後述するスリットＳＬが設けられていない場合には、本体部２０２はベース部１０２の外周面を全体的に覆ってもよい。本体部２０２は、係止部２０６Ａ，２０６Ｂを介して、ベース部１０２に取り付けられている。
【００３５】
本体部２０２には、スリットＳＬと、ブリッジ２０８とが設けられている。スリットＳＬは、軸Ａｘ方向に沿って延びている。すなわち、本体部２０２は、軸Ａｘ方向から見て円弧形状を呈する。本体部２０２は、リセプタクルコネクタ２のグランドコンタクト導体２ｂ（図１８参照）の外側を覆うようにリセプタクルコネクタ２と嵌合可能である。なお、本体部２０２は、リセプタクルコネクタ２のグランドコンタクト導体２ｂによって外側から覆われるようにリセプタクルコネクタ２と嵌合可能であってもよい。
【００３６】
スリットＳＬは、壁部１０６と対向するように配置されている。すなわち、スリットＳＬは、前方に位置している。スリットＳＬ、軸Ａｘ及び突出部１０４が並ぶ方向は、仮想直線ＶＬ２の延在方向でもある。スリットＳＬと、本体部２０２のうちスリットＳＬの近傍の領域Ｒ（図１、図２、図４、図６、図１０及び図１１参照）とは、外側から壁部１０６によって覆われている。本体部２０２がリセプタクルコネクタ２と嵌合する際には、スリットＳＬの間隔が拡がり、本体部２０２のうちスリットＳＬの近傍の領域Ｒが特に弾性的に変形する。そのため、プラグコネクタ１とリセプタクルコネクタ２との嵌合によって本体部２０２（領域Ｒ）が外側に押し拡げられると、領域Ｒが壁部１０６に当接する。
【００３７】
本体部２０２の上端縁２０２ａ（本体部２０２のうち軸Ａｘ方向における他方の端縁）は、下側から上側に向かうにつれて、いったん軸Ａｘの径方向内側に縮径した後に屈曲して、軸Ａｘの径方向外側に向けて拡径している。すなわち、上端縁２０２ａは、軸Ａｘを含む仮想平面で切断したときに、略Ｃ字形状を呈する。
【００３８】
ブリッジ２０８は、金属板からグランドコンタクト導体２００を打ち抜き加工及び曲げ加工する際に、リードフレーム（図示せず）のキャリアとグランドコンタクト導体２００とを接続する部分である。ブリッジ２０８は、グランドコンタクト導体２００の加工の最終工程において切断され、キャリアから切り離される。ブリッジ２０８は、本実施形態において、本体部２０２の上端縁２０２ａ側で且つ一対の突出片１０４Ａ，１０４Ｂの間（外部端子部２０４Ａ，２０４Ｂの間）に配置されている。すなわち、ブリッジ２０８は、後方に位置している。
【００３９】
外部端子部２０４Ａ〜２０４Ｄはいずれも、板状体である。外部端子部２０４Ａ〜２０４Ｄは、本体部２０２の下端縁２０２ｂ（本体部２０２のうち軸Ａｘ方向における一方の端縁）に一体的に設けられている。外部端子部２０４Ａ〜２０４Ｄは、軸Ａｘ周り（本実施形態では上方から見て時計回り）にこの順に並ぶように配置されている。具体的には、外部端子部２０４Ａ（第１の外部端子部）及び外部端子部２０４Ｂ（第２の外部端子部）は、軸Ａｘに対してスリットＳＬとは反対側であって、ブリッジ２０８を間に置くように配置されている。図１〜図５に示されるように、グランドコンタクト導体２００が絶縁ハウジング１００に取り付けられた状態において、外部端子部２０４Ａと外部端子部２０４Ｂとは、突出部１０４を間において相対する。外部端子部２０４Ｂ及び外部端子部２０４Ｃ（第３の外部端子部）は、係止部２０６Ｂを間に置くように配置されている。外部端子部２０４Ｃ及び外部端子部２０４Ｄ（第４の外部端子部）は、軸Ａｘに対してスリットＳＬ側であって、スリットＳＬを間に置くように配置されている。外部端子部２０４Ｄ及び外部端子部２０４Ａは、係止部２０６Ａを間に置くように配置されている。
【００４０】
外部端子部２０４Ａ〜２０４Ｄはそれぞれ、本体部２０２よりも外側に突出するように本体部２０２に対して屈曲されている。外部端子部２０４Ａ〜２０４Ｄは、軸Ａｘと略直交する一対の主面Ｓ３，Ｓ４を含む。主面Ｓ３（第１の主面）は、プラグコネクタ１が配線基板ＣＢ１に実装された状態で、配線基板ＣＢ１側を向いている。すなわち、主面Ｓ３は、外部端子部２０４Ａ〜２０４Ｄの下面である。主面Ｓ４（第２の主面）は、配線基板ＣＢ１とは反対側（本体部２０２の上端縁２０２ａ側）を向いている。すなわち、主面Ｓ４は、外部端子部２０４Ａ〜２０４Ｄの上面である。
【００４１】
外部端子部２０４Ａ，２０４Ｂはそれぞれ、仮想直線ＶＬ１の延在方向において対向する内側面Ｓ５，Ｓ６を含む。図１〜図５に示されるように、グランドコンタクト導体２００が絶縁ハウジング１００に取り付けられた状態において、外部端子部２０４Ａの内側面Ｓ５は、突出片１０４Ａの外側面Ｓ１と近接しつつ対向している。グランドコンタクト導体２００が絶縁ハウジング１００に取り付けられた状態において、外部端子部２０４Ｂの内側面Ｓ６は、突出片１０４Ｂの外側面Ｓ２と近接しつつ対向している。すなわち、グランドコンタクト導体２００が絶縁ハウジング１００に取り付けられた状態において、各内側面Ｓ５，Ｓ６はそれぞれ、突出部１０４の各外側面Ｓ１，Ｓ２と近接しつつ対向している。外側面Ｓ１と内側面Ｓ５との離間距離、及び、外側面Ｓ２と内側面Ｓ６とを離間距離は、例えば、０．０３ｍｍ〜０．１ｍｍ程度であってもよい。あるいは、外側面Ｓ１と内側面Ｓ５とが当接していてもよいし、外側面Ｓ２と内側面Ｓ６とが当接していてもよい。
【００４２】
外部端子部２０４Ａ〜２０４Ｄはそれぞれ、基端部２１０と、先端部２１２とを含む。基端部２１０は、本体部２０２の下端縁２０２ｂに一体的に接続されており、本体部２０２の下端縁２０２ｂに対して屈曲した屈曲部でもある。基端部２１０は、軸Ａｘを中心として本体部２０２から放射状に延びている。
【００４３】
先端部２１２は、基端部２１０の先端に一体的に接続されている。先端部２１２は、仮想直線ＶＬ２の延在方向に沿って直線状に延びている。そのため、各先端部２１２の側面（軸Ａｘと略平行に拡がる面）は、凹凸を有しておらず、平坦面である。
【００４４】
外部端子部２０４Ａ，２０４Ｂの先端部２１２は、突出部１０４の突出方向と同じ側（後ろ側）に向けて突出部１０４の外側面Ｓ１，Ｓ２に沿うように延びている。外部端子部２０４Ｃ，２０４Ｄの先端部２１２は、突出部１０４の突出方向とは反対側（前側）に向けて延びている。外部端子部２０４Ａ，２０４Ｂの先端部２１２の長さは、外部端子部２０４Ｃ，２０４Ｄの先端部２１２の長さよりも長い。
【００４５】
具体的には、図４に示されるように、グランドコンタクト導体２００が絶縁ハウジング１００に取り付けられた状態において、外部端子部２０４Ａ，２０４Ｂの先端部２１２は、仮想直線ＶＬ２の延在方向において本体部２０２よりも外側まで延びてる。換言すれば、グランドコンタクト導体２００が絶縁ハウジング１００に取り付けられた状態において、外部端子部２０４Ａ，２０４Ｂの先端部２１２の先端は、仮想直線ＶＬ２に直交し且つ本体部２０２の最後部を通る仮想平面ＶＳ１よりも軸Ａｘから離れる側に位置している。
【００４６】
一方、グランドコンタクト導体２００が絶縁ハウジング１００に取り付けられた状態において、外部端子部２０４Ｃ，２０４Ｄの先端部２１２は、仮想直線ＶＬ２の延在方向において本体部２０２よりも外側にまでは延びていない。換言すれば、グランドコンタクト導体２００が絶縁ハウジング１００に取り付けられた状態において、外部端子部２０４Ｃ，２０４Ｄの先端部２１２の先端は、仮想直線ＶＬ２に直交し且つ本体部２０２の最前部を通る仮想平面ＶＳ２よりも軸Ａｘ寄りに位置している。
【００４７】
係止部２０６Ａ，２０６Ｂは、図１〜図３及び図１０〜図１２に示されるように、本体部２０２の下端縁２０２ｂに一体的に接続されている。係止部２０６Ａ，２０６Ｂは、本体部２０２の下端縁２０２ｂから下方に向けて突出し、軸Ａｘ方向に沿って延びている。係止部２０６Ａ，２０６Ｂの先端Ｔの軸Ａｘ方向における位置（係止部２０６Ａ，２０６Ｂの先端Ｔの高さ位置）は、図１２に示されるように、外部端子部２０４Ａ〜２０４Ｄの主面Ｓ４と同一であるか、又は主面Ｓ４よりも主面Ｓ３側である。
【００４８】
係止部２０６Ａ，２０６Ｂはそれぞれ、図１〜図４、図７及び図１０〜図１２に示されるように、係止片２１４を含む。係止片２１４は、下側から上側に向かうにつれて軸Ａｘ側に近づくように傾斜している。係止片２１４の下端は、係止部２０６Ａ，２０６Ｂと一体的に接続されている。そのため、係止片２１４は、その下端を支点として、軸Ａｘに近接及び離間するように揺動可能である。
【００４９】
グランドコンタクト導体２００を絶縁ハウジング１００に取り付ける際に、絶縁ハウジング１００の上方からグランドコンタクト導体２００を絶縁ハウジング１００に向けて降下させていくと、係止部２０６Ａの係止片２１４が係止突起１１０Ａに当接すると共に、係止部２０６Ｂの係止片２１４が係止突起１１０Ｂに当接する。この状態で、グランドコンタクト導体２００をさらに降下させると、各係止片２１４が各係止突起１１０Ａ，１１０Ｂによって押されて外側に揺動する。グランドコンタクト導体２００をさらに降下して、各係止片２１４が各係止突起１１０Ａ，１１０Ｂを乗り越えると、各係止片２１４は、内側に揺動して元の形状に戻り、各切り欠き１１６Ａ，１１６Ｂ内に収容される。こうして、係止部２０６Ａの係止片２１４が係止突起１１０Ａに係止されると共に、係止部２０６Ｂの係止片２１４が係止突起１１０Ｂに係止される。従って、係止部２０６Ａは、絶縁ハウジング１００の被係止部（係止突起１１０Ａ及び切り欠き１１６Ａ）と係止可能に構成されている。係止部２０６Ｂは、絶縁ハウジング１００の被係止部（係止突起１１０Ｂ及び切り欠き１１６Ｂ）と係止可能に構成されている。
【００５０】
本実施形態において、係止部２０６Ａ，２０６Ｂは、軸Ａｘ方向から見たときに、仮想直線ＶＬ２に関して略線対称に配置されている。本実施形態において、係止部２０６Ａ，２０６Ｂは、軸Ａｘ方向から見たときに、仮想直線ＶＬ１上に位置すると共に、軸Ａｘを間において対向している。従って、図５に示されるように、係止部２０６Ａは、軸Ａｘ方向から見たときに、係止部２０６Ａ及び軸Ａｘを結ぶと共に配線基板ＣＢ１と平行に延びる仮想直線（仮想直線ＶＬ１）と仮想直線ＶＬ２とがなす角度がスリットＳＬの位置を起点として−９０°となるように位置している。係止部２０６Ｂは、軸Ａｘ方向から見たときに、係止部２０６Ｂ及び軸Ａｘを結ぶと共に配線基板ＣＢ１と平行に延びる仮想直線と仮想直線ＶＬ２とがなす角度がスリットＳＬの位置を起点として＋９０°となるように位置している。
【００５１】
［信号コンタクト導体］
信号コンタクト導体３００は、導電性及び弾性を有する金属板を打ち抜き加工及び曲げ加工することによって形成される。当該金属板の表面には、例えば、ニッケル、銀、金等の金属めっきが施されていてもよい。信号コンタクト導体３００は、図１〜図７に示されるように、絶縁ハウジング１００に取り付けられている。信号コンタクト導体３００は、図１〜図７及び図１３〜図１６に示されるように、端子片３０２と、一対の接続片３０４と、屈曲片３０６とを有する。
【００５２】
端子片３０２は、矩形状を呈する板部材である。プラグコネクタ１の配線基板ＣＢ１への実装時において、端子片３０２の一端側（基端側）が配線基板ＣＢ１の端子電極ＴＥ２（後述する）に接続される。
【００５３】
端子片３０２は、互いに対向する一対の主面Ｓ７，Ｓ８を有する。端子片３０２には、一端側（基端側）と他端側（先端側）との間において端子片３０２の延在方向に沿って延びる補強部３０８が設けられている。補強部３０８の始点は、端子片３０２の基端側と配線基板ＣＢ１の端子電極ＴＥ２とが重なり合う領域に位置していてもよい。補強部３０８の終点は、端子片３０２のうち接続片３０４が接続されている領域に位置していてもよい。
【００５４】
本実施形態において、補強部３０８は、突条３０８Ａと凹溝３０８Ｂとで構成された凹凸部である。突条３０８Ａは、主面Ｓ７（第１の主面）から突出している。凹溝３０８Ｂは、主面Ｓ８（第２の主面）のうち突条３０８Ａに対応する位置において窪んでいる。
【００５５】
一対の接続片３０４は、Ｌ字形状を呈する片持ち状の板部材である。一対の接続片３０４は、端子片３０２の先端側において端子片３０２に立設されている。具体的には、一対の接続片３０４はそれぞれ、端子片３０２の各側縁に一体的に接続されている。一対の接続片３０４は、端子片３０２の各側縁から屈曲しつつ、主面Ｓ７，Ｓ８の対向方向に沿って延びるように主面Ｓ７側に突出している。従って、一対の接続片３０４が突出する側は、突条３０８Ａが突出している側と同じである。一対の接続片３０４の端子片３０２からの突出方向は、主面Ｓ７，Ｓ８の対向方向であるともいえる。
【００５６】
一対の接続片３０４は、図１〜図７に示されるように、絶縁ハウジング１００のベース部１０２の収容孔１０８内に配置されている。そのため、ベース部１０２及びグランドコンタクト導体２００の本体部２０２は共に、一対の接続片３０４の外方に位置している。
【００５７】
一対の接続片３０４は、リセプタクルコネクタ２の信号コンタクト導体２ａ（後述する）と嵌着可能に構成されている。一対の接続片３０４がリセプタクルコネクタ２の信号コンタクト導体２ａと嵌着する際には、一対の接続片３０４が信号コンタクト導体２ａによって外側に押し拡げられ、信号コンタクト導体２ａと弾性的に嵌着する。
【００５８】
屈曲片３０６は、図６及び図１３〜図１６に示されるように、Ｌ字形状を呈する片持ち状の板部材である。屈曲片３０６は、端子片３０２の先端側において端子片３０２に立設されている。具体的には、屈曲片３０６は、端子片３０２の先端縁に一体的に接続されている。屈曲片３０６は、端子片３０２の先端縁から屈曲しつつ、主面Ｓ７，Ｓ８の対向方向に沿って延びるように主面Ｓ７側に突出している。従って、屈曲片３０６が突出する側は、突条３０８Ａ及び一対の接続片３０４が突出している側と同じである。
【００５９】
信号コンタクト導体３００を絶縁ハウジング１００に取り付ける際には、端子片３０２が絶縁ハウジング１００の収容溝１１８内に位置するように、端子片３０２を一対の突起１２０の間に圧入する。これにより、端子片３０２が一対の突起１２０によって収容溝１１８内に固定される。また、屈曲片３０６が絶縁ハウジング１００の嵌合溝１１２内に位置するように、屈曲片３０６を嵌合溝１１２内に圧入する。これにより、屈曲片３０６が嵌合溝１１２内に固定される。
【００６０】
［プラグコネクタの使用方法］
続いて、プラグコネクタ１の使用方法について説明する。まず、図１７に示されるように、プラグコネクタ１と、配線基板ＣＢ１とを用意する。配線基板ＣＢ１には、グランド電位と電気的に接続するためのグランド用導電路（図示せず）と、電気信号を伝達するための信号用導電路（図示せず）と、グランド用導電路と電気的に接続された端子電極ＴＥ１と、信号用導電路と電気的に接続された端子電極ＴＥ２が形成されている。
【００６１】
次に、プラグコネクタ１の各外部端子部２０４Ａ〜２０４Ｄを対応する端子電極ＴＥ１上に載置する。また、プラグコネクタ１の信号コンタクト導体３００のうち端子片３０２の基端部を端子電極ＴＥ２上に載置する。次に、各外部端子部２０４Ａ〜２０４Ｄと、対応する端子電極ＴＥ１とをはんだ付けにより接合すると共に、端子片３０２の基端部と端子電極ＴＥ２とをはんだ付けにより接合する。これにより、プラグコネクタ１が配線基板ＣＢ１に実装される。
【００６２】
次に、図１８に示されるように、配線基板ＣＢ２に実装されたリセプタクルコネクタ２を用意する。リセプタクルコネクタ２は、円柱状の信号コンタクト導体２ａと、信号コンタクト導体２ａを取り囲むように配置された円筒状のグランドコンタクト導体２ｂとを備える。配線基板ＣＢ２には、配線基板ＣＢ１と同様に、グランド電位と電気的に接続するためのグランド用導電路（図示せず）と、電気信号を伝達するための信号用導電路（図示せず）と、グランド用導電路と電気的に接続された端子電極（図示せず）と、信号用導電路と電気的に接続された端子電極（図示せず）とが形成されている。信号コンタクト導体２ａは、端子電極を介して信号用導電路と電気的に接続されている。グランドコンタクト導体２ｂは、端子電極を介してグランド用導電路と電気的に接続されている。
【００６３】
次に、配線基板ＣＢ１に実装されたプラグコネクタ１と配線基板ＣＢ２に実装されたリセプタクルコネクタ２とを接続する。具体的には、プラグコネクタ１とリセプタクルコネクタ２とが互いに対向するように配置しつつ、両者を互いに近接させる。このとき、信号コンタクト導体２ａが一対の接続片３０４の間に挿通されると共に、グランドコンタクト導体２ｂが絶縁ハウジング１００のベース部１０２とグランドコンタクト導体２００の本体部２０２との間に挿通される。こうして、一対の接続片３０４が信号コンタクト導体２ａと弾性的に嵌着すると共に、本体部２０２（上端縁２０２ａ）がグランドコンタクト導体２００と弾性的に嵌着する。以上により、プラグコネクタ１の信号コンタクト導体３００とリセプタクルコネクタ２の信号コンタクト導体２ａとが電気的且つ物理的に接続され、信号伝送回路が構成される。
【００６４】
［作用］
プラグコネクタ１とリセプタクルコネクタ２とが嵌合して、リセプタクルコネクタ２の信号コンタクト導体２ａによってプラグコネクタ１の信号コンタクト導体３００が押された場合、端子片３０２の基端近傍及び端子片３０２のうち接続片３０４の近傍に特に力が加わりやすい。そのため、端子片３０２のうちこれらの箇所が極めて撓みやすい。しかしながら、本実施形態では、端子片３０２に、端子片３０２の基端側から接続片３０４まで延びる補強部３０８が設けられている。そのため、撓みやすい端子片３０２の基端近傍及び接続片３０４近傍が、補強部３０８によって補強され、端子片３０２の剛性が高められている。従って、端子片３０２（信号コンタクト導体３００）の撓みが補強部３０８によって抑制されるので、リセプタクルコネクタ２との間で十分な有効嵌合長を得ることが可能となる。その結果、プラグコネクタ１の信号コンタクト導体３００とリセプタクルコネクタ２の信号コンタクト導体２ａとの間でより確実な接触及び接続が可能となる。
【００６５】
本実施形態では、補強部３０８は、主面Ｓ７から突出する突条３０８Ａを含んでいる。そのため、補強部３０８の構成が簡易であるにもかかわらず、端子片３０２（信号コンタクト導体３００）の撓みを補強部３０８によって十分に抑制することができる。
【００６６】
本実施形態では、補強部３０８が、突条３０８Ａと凹溝３０８Ｂとで構成された凹凸部である。そのため、板状を呈する端子片３０２をプレス加工するだけで容易に補強部３０８（凹凸部）が得られる。従って、補強部３０８の構成が簡易で且つ製造が容易であるにもかかわらず、端子片３０２（信号コンタクト導体３００）の撓みを補強部３０８によって十分に抑制することができる。
【００６７】
本実施形態では、信号コンタクト導体３００が、接続片３０４と同じ側に突出する屈曲片３０６を有し、屈曲片３０６と嵌合する嵌合溝１１２が絶縁ハウジング１００に設けられている。そのため、絶縁ハウジング１００の高さを高くして、嵌合溝１１２を絶縁ハウジングに形成する領域を別途確保する必要がない。従って、プラグコネクタ１の低背化を図ることが可能となる。
【００６８】
本実施形態では、グランドコンタクト導体２００が、本体部２０２のうち軸Ａｘ方向における配線基板ＣＢ１寄りに一体的に設けられた係止部２０６Ａ，２０６Ｂを有し、係止部２０６Ａ，２０６Ｂの先端Ｔの軸Ａｘ方向における位置（係止部２０６Ａ，２０６Ｂの先端Ｔの高さ位置）が、主面Ｓ４と同一であるか、主面Ｓ４よりも主面Ｓ３側である。そのため、係止部２０６Ａ，２０６Ｂは、軸Ａｘ方向において外部端子部２０４Ａ〜２０４Ｄの基端部２１０と隣り合っておらず、むしろ本体部２０２の周方向において外部端子部２０４Ａ〜２０４Ｄと隣り合っている。従って、従来と比較して、係止部２０６Ａ，２０６Ｂの高さ位置が外部端子部２０４Ａ〜２０４Ｄの高さ位置に近づくので、プラグコネクタ１の更なる低背化を図ることが可能となる。
【００６９】
本実施形態では、係止部２０６Ａ，２０６Ｂが、軸Ａｘ方向から見たときに、仮想直線ＶＬ２に関して略線対称に配置されている。そのため、係止部２０６Ａ，２０６Ｂによって絶縁ハウジング１００のベース部１０２をバランスよく保持することが可能となる。
【００７０】
本実施形態では、係止部２０６Ａ，２０６Ｂが、軸Ａｘ方向から見たときに、仮想直線ＶＬ１上に位置すると共に、軸Ａｘを間において対向している。そのため、プラグコネクタ１にリセプタクルコネクタ２が嵌合する際に、本体部２０２のうち係止部２０６Ａ，２０６Ｂが位置する部分が比較的拡大し難い。そのため、係止部２０６Ａ，２０６Ｂによって絶縁ハウジング１００のベース部１０２をバランスよく保持しつつ、係止部２０６Ａ，２０６Ｂからの絶縁ハウジング１００の脱落を抑制することが可能となる。
【００７１】
本実施形態では、絶縁ハウジング１００が、軸Ａｘ方向に延びると共にベース部１０２の外側に配置された壁部１０６を有している。壁部１０６は、スリットＳＬと、本体部２０２のうちスリットＳＬの近傍の領域Ｒとを外側から覆っている。そのため、プラグコネクタ１とリセプタクルコネクタ２とが嵌合する際に、スリットＳＬが大きく開かれても、外側に押し拡げられた本体部２０２の領域Ｒが壁部１０６に当接する。従って、領域Ｒが壁部１０６によって押さえられるので、スリットＳＬの拡大が抑制される。その結果、本体部２０２からリセプタクルコネクタ２に対して付勢力が十分に付与されるので、本体部２０２とリセプタクルコネクタ２のグランドコンタクト導体２ｂとの嵌合を維持しやすくなる。
【００７２】
本実施形態では、外部端子部２０４Ｂ及び外部端子部２０４Ｃは、係止部２０６Ｂを間に置くように配置されている。外部端子部２０４Ｄ及び外部端子部２０４Ａは、係止部２０６Ａを間に置くように配置されている。そのため、外部端子部２０４Ａ〜２０４Ｄと係止部２０６Ａ，２０６Ｂとが互いに干渉し難いので、外部端子部２０４Ａ〜２０４Ｄが係止部２０６Ａ，２０６Ｂを避けるような形状とする必要がなく、外部端子部２０４Ａ〜２０４Ｄの大型化が抑制される。そのため、プラグコネクタ１の小型化を図ることが可能となる。
【００７３】
本実施形態では、外部端子部２０４Ａ，２０４Ｂが、突出部１０４を間において相対して配置されており、突出部１０４の外側面Ｓ１，Ｓ２と近接しつつ対向する内側面Ｓ５，Ｓ６をそれぞれ有する。そのため、外部端子部２０４Ａ，２０４Ｂによって絶縁ハウジング１００の突出部１０４が挟まれている。従って、本体部２０２に対して軸Ａｘの周方向に負荷がかかったとしても、外部端子部２０４Ａの内側面Ｓ５が突出部１０４（突出片１０４Ａ）の外側面Ｓ１と当接するか、外部端子部２０４Ｂの内側面Ｓ６が突出部１０４（突出片１０４Ｂ）の外側面Ｓ２と当接する。すなわち、突出部１０４は、グランドコンタクト導体２００の回転を規制する回転規制部として機能する。その結果、グランドコンタクト導体２００の絶縁ハウジング１００に対する軸Ａｘ周りでの回転を抑制することが可能となる。これにより、グランドコンタクト導体２００の絶縁ハウジング１００に対するより確実な位置決めが実現される。さらに、プラグコネクタ１を配線基板ＣＢ１上に実装する際に、グランドコンタクト導体２００の外部端子部２０４Ａ〜２０４Ｄが配線基板ＣＢ１上の端子電極ＴＥ１，ＴＥ２からはみ出た状態となり難いので、接続を良好に行える。
【００７４】
本実施形態では、外部端子部２０４Ｃ，２０４Ｄは、軸Ａｘに対してスリットＳＬ側に配置されている。そのため、プラグコネクタ１が配線基板ＣＢ１上に実装されることにより、スリットＳＬ側に位置する外部端子部２０４Ｃ，２０４Ｄが配線基板の端子電極ＴＥ１に固定されると、プラグコネクタ１とリセプタクルコネクタ２とが嵌合する際に、スリットＳＬが大きく開かれることが抑制される。従って、本体部２０２からリセプタクルコネクタ２のグランドコンタクト導体２ｂに対して付勢力が十分に付与されるので、本体部２０２とリセプタクルコネクタ２のグランドコンタクト導体２ｂとの嵌合を維持しやすくなる。
【００７５】
本実施形態では、外部端子部２０４Ａ，２０４Ｂの先端部２１２が、突出部１０４の突出方向と同じ側（後ろ側）に向けて突出部１０４の外側面Ｓ１，Ｓ２に沿うように延びている。本実施形態では、外部端子部２０４Ｃ，２０４Ｄの先端部２１２が、突出部１０４の突出方向とは反対側（前側）に向けて延びている。本実施形態では、外部端子部２０４Ａ，２０４Ｂの先端部２１２の長さが、外部端子部２０４Ｃ，２０４Ｄの先端部２１２の長さよりも長い。ところで、本体部２０２が軸Ａｘ周りに回転する場合、外部端子部２０４Ａ，２０４Ｂの先端部２１２（外部端子部２０４Ａ，２０４Ｂの先端）が突出部１０４と当接する。ここで、外部端子部２０４Ａ，２０４Ｂの長さが長いほど、本体部２０２の回転角度がより小さくなる。従って、外部端子部２０４Ａ，２０４Ｂの先端部２１２の長さが外部端子部２０４Ｃ，２０４Ｄの先端部２１２よりも長いと、グランドコンタクト導体２００の絶縁ハウジング１００に対する軸Ａｘ周りでの回転をいっそう抑制することが可能となる。一方、外部端子部２０４Ｃ，２０４Ｄの先端部２１２の長さが外部端子部２０４Ａ，２０４Ｂの先端部２１２の長さよりも短い。この場合、外部端子部２０４Ｃ，２０４Ｄの大きさが比較的小さくなるので、プラグコネクタ１の小型化を図ることが可能となる。
【００７６】
［他の実施形態］
以上、本開示に係る実施形態について詳細に説明したが、本発明の要旨の範囲内で種々の変形を上記の実施形態に加えてもよい。例えば、上記の実施形態では、本発明をプラグコネクタ１に適用したが、本発明をリセプタクルコネクタ２に適用してもよい。
【００７７】
図１９に示されるように、ブリッジ２０８は、本体部２０２の下端縁２０２ｂ側で且つ一対の突出片１０４Ａ，１０４Ｂの間（外部端子部２０４Ａ，２０４Ｂの間）に配置されていてもよい。
【００７８】
図２０及び図２１に示されるように、端子片３０２に一対の突起３１０が設けられていてもよい。一対の突起３１０は、接続片３０４の端子片３０２からの突出方向及び補強部３０８の延在方向（端子片３０２の延在方向）の双方に直交する方向に突出している。すなわち、一対の突起３１０は、端子片３０２の各側縁から側方に向けて突出している。また、図２２に示されるように、絶縁ハウジング１００の収容溝１１８には、突起１２０に代えて、一対の嵌合溝１２２（第１の嵌合溝）が設けられていてもよい。一対の嵌合溝１２２はそれぞれ、対応する突起３１０が嵌合可能に構成されている。この場合、一対の突起３１０が対応する嵌合溝１２２内に圧入されて両者が嵌合することで、信号コンタクト導体３００がよりしっかりと収容溝１１８内（絶縁ハウジング１００）に保持される。従って、プラグコネクタ１とリセプタクルコネクタ２とが嵌合する際に、リセプタクルコネクタ２によって信号コンタクト導体３００が押された場合であっても、信号コンタクト導体３００の変形を抑制することが可能となる。なお、収容溝１１８に一対の突起１２０及び一対の嵌合溝１２２の双方が設けられており、端子片３０２の各側縁と一対の突起１２０とが嵌合すると共に、一対の突起３１０と一対の嵌合溝１２２とが嵌合してもよい。
【００７９】
端子片３０２には、少なくとも一つの突起３１０が設けられていてもよい。収容溝１１８には、突起１２０が設けられていなくてもよいし、少なくとも一つの突起１２０が設けられていてもよい。
【００８０】
上記の実施形態では、係止突起１１０Ａ，１１０Ｂ及び切り欠き１１６Ａ，１１６Ｂの組み合わせによって絶縁ハウジング１００の被係止部が構成されていたが、絶縁ハウジング１００の被係止部は切り欠き１１６Ａ，１１６Ｂによって構成されていてもよい。すなわち、ベース部１０２の下端近傍にフランジ１１４が設けられておらず、ベース部１０２の下端近傍に切り欠き１１６Ａ，１１６Ｂのみが設けられていてもよい。切り欠き１１６Ａ，１１６Ｂに代えて、突出片１０４Ａ，１０４Ｂと係合可能な孔であってもよい。当該孔は、ベース部１０２の外周面から側方に開放されているがベース部１０２の底面から下方に開放されていない。
【００８１】
絶縁ハウジング１００の被係止部は係止突起１１０Ａ，１１０Ｂによって構成されていてもよい。すなわち、係止突起１１０Ａ，１１０Ｂがベース部１０２の外周面から側方に向けて突出していれば、ベース部１０２の下端近傍に切り欠き１１６Ａ，１１６Ｂが設けられていなくてもよい。係止突起１１０Ａ，１１０Ｂは、別体ではなく、一体であってもよい。係止突起１１０Ａ，１１０Ｂが一体である場合、ベース部１０２の外周面から側方に突出する円環状の部材が考えられる。
【００８２】
係止部２０６Ａは、軸Ａｘ方向から見たときに、係止部２０６Ａ及び軸Ａｘを結ぶと共に配線基板ＣＢ１と平行に延びる仮想直線（仮想直線ＶＬ１）と仮想直線ＶＬ２とがなす角度がスリットＳＬの位置を起点として例えば−４５°となるように位置していてもよい。このとき、係止部２０６Ｂは、軸Ａｘ方向から見たときに、係止部２０６Ｂ及び軸Ａｘを結ぶと共に配線基板ＣＢ１と平行に延びる仮想直線と仮想直線ＶＬ２とがなす角度がスリットＳＬの位置を起点として例えば＋４５°となるように位置していてもよい。すなわち、係止部２０６Ａ，２０６Ｂは、軸Ａｘ方向から見たときに、仮想直線ＶＬ２に関して略線対称に配置されていれば、仮想直線ＶＬ１上に位置していなくてもよい。
【００８３】
係止部２０６Ａ，２０６Ｂは、軸Ａｘ方向から見たときに、仮想直線ＶＬ２に関して略線対称に配置されていなくてもよい。
【００８４】
グランドコンタクト導体２００は、少なくとも一つの係止部を有していてもよい。
【００８５】
絶縁ハウジング１００には、被係止部に代えて、グランドコンタクト導体２００の係止片２１４と同様の機能を有する部材が設けられていてもよい。このとき、グランドコンタクト導体２００には、係止部に代えて、絶縁ハウジング１００の被係止部と同様の機能を有する部材が設けられていてもよい。
【００８６】
グランドコンタクト導体２００が絶縁ハウジング１００に取り付けられた状態において、外部端子部２０４Ａ，２０４Ｂの先端部２１２は、仮想直線ＶＬ２の延在方向において本体部２０２よりも外側に延びていなくてもよい。すなわち、グランドコンタクト導体２００が絶縁ハウジング１００に取り付けられた状態において、外部端子部２０４Ａ，２０４Ｂの先端部２１２の先端は、仮想平面ＶＳ１よりも軸Ａｘ寄りに位置していてもよい。
【００８７】
グランドコンタクト導体２００が絶縁ハウジング１００に取り付けられた状態において、外部端子部２０４Ｃ，２０４Ｄの先端部２１２は、仮想直線ＶＬ２の延在方向において本体部２０２よりも外側に延びていてもよい。すなわち、グランドコンタクト導体２００が絶縁ハウジング１００に取り付けられた状態において、外部端子部２０４Ｃ，２０４Ｄの先端部２１２の先端は、仮想平面ＶＳ２よりも軸Ａｘから離れる側に位置していてもよい。
【００８８】
グランドコンタクト導体２００の本体部２０２に設けられるスリットＳＬの位置は特に限定されず、所望の位置であってもよい。例えば、スリットＳＬは、外部端子部２０４Ａ，２０４Ｂ側に位置していてもよい。
【００８９】
グランドコンタクト導体２００の本体部２０２にはスリットＳＬが設けられていなくてもよい。
【００９０】
信号コンタクト導体３００の補強部３０８を構成する突条３０８Ａは、主面Ｓ７，Ｓ８の少なくとも一方から突出していてもよい。突条３０８Ａは、主面Ｓ７，Ｓ８の両面からそれぞれ突出していてもよい。そのため、補強部３０８は、凹溝３０８Ｂを含んでいなくてもよい。突条３０８Ａは一つ以上であってもよい。
【００９１】
補強部３０８は、直線状に延びていてもよいし、曲線状に延びていてもよいし、蛇行しつつ延びていてもよい。
【符号の説明】
【００９２】
１…プラグコネクタ、２…リセプタクルコネクタ、２ａ…信号コンタクト導体、２ｂ…グランドコンタクト導体、１００…絶縁ハウジング、１０２…ベース部、１０４…突出部、１０４Ａ…突出片（第１の突出片）、１０４Ｂ…突出片（第２の突出片）、１０６…壁部、１０８…収容孔、１１０Ａ，１１０Ｂ…係止突起（被係止部）、１１２…嵌合溝（第２の嵌合溝）、１１６Ａ，１１６Ｂ…切り欠き（被係止部）、１１８…収容溝、１２０…突起、１２２…嵌合溝（第１の嵌合溝）、２００…グランドコンタクト導体、２０２…本体部、２０２ａ…上端縁、２０２ｂ…下端縁、２０４Ａ…外部端子部（第１の外部端子部）、２０４Ｂ…外部端子部（第２の外部端子部）、２０４Ｃ…外部端子部（第３の外部端子部）、２０４Ｄ…外部端子部（第４の外部端子部）、２０６Ａ，２０６Ｂ…係止部、２１０…基端部、２１２…先端部、２１４…係止片、３００…信号コンタクト導体、３０２…端子片、３０４…接続片、３０６…屈曲片、３０８…補強部（凹凸部）、３０８Ａ…突条、３０８Ｂ…凹溝、３１０…突起、Ａｘ…軸、ＣＢ１，ＣＢ２…配線基板、Ｒ…領域、Ｓ１，Ｓ２…外側面、Ｓ３…主面（第１の主面）、Ｓ４…主面（第２の主面）、Ｓ５，Ｓ６…内側面、Ｓ７…主面（第１の主面）、Ｓ８…主面（第２の主面）、ＳＬ…スリット、Ｔ…先端、ＴＥ１，ＴＥ２…端子電極、ＶＬ１…仮想直線（第２の仮想直線）、ＶＬ２…仮想直線（第１の仮想直線）、ＶＳ１，ＶＳ２…仮想平面。
【図１】
2017174625.tif 000003
【図２】
2017174625.tif 000004
【図３】
2017174625.tif 000005
【図４】
2017174625.tif 000006
【図５】
2017174625.tif 000007
【図６】
2017174625.tif 000008
【図７】
2017174625.tif 000009
【図８】
2017174625.tif 000010
【図９】
2017174625.tif 000011
【図１０】
2017174625.tif 000012
【図１１】
2017174625.tif 000013
【図１２】
2017174625.tif 000014
【図１３】
2017174625.tif 000015
【図１４】
2017174625.tif 000016
【図１５】
2017174625.tif 000017
【図１６】
2017174625.tif 000018
【図１７】
2017174625.tif 000019
【図１８】
2017174625.tif 000020
【図１９】
2017174625.tif 000021
【図２０】
2017174625.tif 000022
【図２１】
2017174625.tif 000023
【図２２】
2017174625.tif 000024